(57)【特許請求の範囲】
【請求項１】
デッキプレートの断面剛性を高めるための、上部筋と下部筋とラチス筋とからなる鉄筋トラスを、前記デッキプレートの下部フランジの上方に前記下部フランジに沿ってスペーサーを介して垂直に固定するための、デッキプレートと鉄筋トラスとの固定構造において、
前記スペーサーは、前記デッキプレートの対向するウェブの各々に平行且つ水平に形成された一対の溝内に先端部が嵌め込まれる正面形状ハの字状の脚部材と、前記脚部材の頂部に水平回転自在に取り付けられた回転板とからなり、前記回転板は、前記鉄筋トラスの前記ラチス筋に固定されていることを特徴とする、デッキプレートと鉄筋トラスとの固定構造。
【発明の詳細な説明】
【０００１】
【発明の属する技術分野】
この発明は、デッキプレートと鉄筋トラスとの固定構造、特に、高さが高い鉄筋トラスをデッキプレートに固定する場合においても、脚部材の脚長が長いスペーサーを使用する必要がない、デッキプレートと鉄筋トラスとの固定構造に関するものである。
【０００２】
【従来の技術】
従来、デッキプレートと鉄筋トラスとの固定構造として、特開平７−１３９０７０号公開公報に開示されるものがある。この従来固定構造を図面を参照しながら説明する。
【０００３】
図３は、従来固定構造に使用されるスペーサーを示す斜視図、図４は、デッキプレートに嵌め込まれたスペーサーを示す正面図、図５は、従来固定構造を示す側面図、図６は、従来固定構造を示す平面図、図７は、スペーサーのデッキプレートへの嵌込み方法を示す平面図、図８は、脚長が長いスペーサーによる従来固定構造を示す正面図である。
【０００４】
図３から図８において、１は、スペーサーである。スペーサー１は、デッキプレート５の対向するウェブ５Ａの各々に平行且つ水平に形成された一対の溝５Ｂ内に先端部２Ａが嵌め込まれる正面形状ハの字状の棒鋼製脚部材２と、脚部材２の頂部に固定された固定板３と、固定板３上に回転自在に取り付けられた回転板４とからなっている。なお、脚部材２の頂部に直接、回転板４を取り付けても良い。
【０００５】
６は、デッキプレート５の断面剛性を高めるための鉄筋トラスである。鉄筋トラス６は、上部筋６Ａと下部筋６Ｂとラチス筋６Ｃとからなっている。図５及び図６に示す鉄筋トラス６は、上下１本づつの上部筋６Ａと下部筋６Ｂとの間にラチス筋６Ｃを固定したものからなっている。
【０００６】
デッキプレート５にスペーサー１を介して鉄筋トラス６を設置固定するには、鉄筋トラス６の上部筋６Ａの下部にスペーサー１の回転板４を溶接等によって予め固定しておく。このようにして、所定間隔をあけて複数個のスペーサー１を鉄筋トラス６に固定したら、鉄筋トラス６をデッキプレート５の下部フランジ５Ｃに搬送し、各スペーサー１の脚部材２を図７に示すように回転させて、脚部材２の先端部２Ａをデッキプレート５の溝５Ｂ内に脚部材２の弾性力に抗して嵌め込む。デッキプレート５の溝５Ｂ内に嵌め込まれたスペーサー１は、スペーサー１及びデッキプレート５双方の弾性力によって、デッキプレート５から抜け出ることはない。
【０００７】
このようにして、デッキプレート５の下部フランジ５Ｃに沿ってスペーサー１を介して鉄筋トラス６を設置固定したら、デッキプレート５上にコンクリートを打設する。これによって、合成床スラブが構築される。
【０００８】
【発明が解決しようとする課題】
しかしながら、上述した従来固定構造は、次のような問題点を有していた。即ち、打設コンクリート厚を厚くして、剛性が高い合成スラブを構築する場合、図８に示すように、鉄筋トラス６も高さ（Ｔ）が高く、二重構造で強固な構造のものを使用する必要がある。この鉄筋トラス６は、一本の上部筋６Ａと二本の下部筋５Ｂとの間に一対のラチス筋６Ｃを固定したものからなっている。
【０００９】
この場合、従来固定構造のように、鉄筋トラス６の上部筋６Ａの下部にスペーサー１の回転板４を固定して、鉄筋トラス６にスペーサー１を取り付けると、スペーサー１として、脚長が長い脚部材２を使用する必要がある。しかしながら、脚部材２の脚長が長くなると、スペーサー１の耐力が低下して、鉄筋トラス６を確実にデッキプレート５の下部フランジ５Ｃに沿って固定することができない恐れがあった。
【００１０】
従って、この発明の目的は、高さが高い鉄筋トラスをデッキプレートに固定する場合において、脚部材の脚長が長いスペーサーを使用する必要がない、デッキプレートと鉄筋トラスとの固定構造を提供することにある。
【００１１】
【課題を解決するための手段】
請求項１記載の発明は、デッキプレートの断面剛性を高めるための、上部筋と下部筋とラチス筋とからなる鉄筋トラスを、前記デッキプレートの下部フランジの上方に前記下部フランジに沿ってスペーサーを介して垂直に固定するための、デッキプレートと鉄筋トラスとの固定構造において、前記スペーサーは、前記デッキプレートの対向するウェブの各々に平行且つ水平に形成された一対の溝内に先端部が嵌め込まれる正面形状ハの字状の脚部材と、前記脚部材の頂部に水平回転自在に取り付けられた回転板とからなり、前記回転板は、前記鉄筋トラスの前記ラチス筋に固定されていることに特徴を有するものである。
【００１２】
【発明の実施の形態】
次に、この発明の、デッキプレートと鉄筋トラスとの固定構造の一実施態様を、図面を参照しながら説明する。
【００１３】
図１は、この発明の、デッキプレートと鉄筋トラスとの固定構造を示す正面図、図２は、この発明の、デッキプレートと鉄筋トラスとの固定構造を示す側面図である。
【００１４】
図１及び図２における番号は、図３から図８の番号と同一物を示す。即ち、１は、棒鋼製脚部材２、脚部材２の頂部に固定された固定板３、及び、固定板３上に回転自在に取り付けられた回転板４とからなるスペーサーである。６は、一本の上部筋６Ａと二本の下部筋５Ｂとの間に一対のラチス筋６Ｃを固定したものからなる鉄筋トラスであり、回転板４は、鉄筋トラス６のラチス筋６Ｃの途中に溶接等によって固定されている。
【００１５】
このように、回転板４を鉄筋トラス６のラチス筋６Ｃに溶接等によって固定することによって、従来構造のように、回転板４を鉄筋トラス６の上部筋６Ａに固定する場合に比べて、スペーサー１として、脚長が長い脚部材２を使用する必要がなくなる。即ち、鉄筋トラス６の高さが高くなった場合、従来固定構造によれば、図１中２点鎖線で示すように、脚部材２の脚長が長いスペーサー１を使用する必要があったが、この発明の固定構造によれば、脚部材２の脚長が短いスペーサー１を使用することができる。従って、スペーサー１の耐力が低下する恐れがなく、鉄筋トラス６をスペーサー１を介して確実にデッキプレート５の下部フランジ５Ｃに沿って固定することができる。
【００１６】
鉄筋トラス６のデッキプレート５への取り付け方法は、次の通りである。即ち、鉄筋トラス６のラチス筋６Ｃの途中にスペーサー１の回転板４を溶接等によって予め固定しておく。このようにして、所定間隔をあけて複数個のスペーサー１を鉄筋トラス６に固定したら、鉄筋トラス６をデッキプレート５の下部フランジ５Ｃに搬送し、各スペーサー１の脚部材２を図７に示すように回転させて、脚部材２の先端部２Ａをデッキプレート５の溝５Ｂ内に脚部材２の弾性力に抗して嵌め込む。デッキプレート５の溝５Ｂ内に嵌め込まれたスペーサー１は、スペーサー１及びデッキプレート５双方の弾性力によって、デッキプレート５から抜け出ることはない。
【００１７】
このようにして、デッキプレート５の下部フランジ５Ｃに沿ってスペーサー１を介して鉄筋トラス６を固定したら、デッキプレート５上にコンクリートを打設する。これによって、合成床スラブが構築される。
【００１８】
【発明の効果】
以上説明したように、この発明によれば、スペーサーの回転板を鉄筋トラスのラチス筋に固定することによって、高さが高い鉄筋トラスをデッキプレートに固定する場合においても、脚部材の脚長が短く、耐力の低下がないスペーサーを使用することができる。従って、高さが高い鉄筋トラスをデッキプレートに固定する場合においても、鉄筋トラスをスペーサーを介して確実にデッキプレートの下部フランジに沿って固定することができるといった有用な効果がもたらされる。
【図面の簡単な説明】
【図１】この発明の、デッキプレートと鉄筋トラスとの固定構造を示す正面図である。
【図２】この発明の、デッキプレートと鉄筋トラスとの固定構造を示す側面図である。
【図３】従来固定構造に使用されるスペーサーを示す斜視図である。
【図４】デッキプレートに嵌め込まれたスペーサーを示す正面図である。
【図５】従来固定構造を示す側面図である。
【図６】従来固定構造を示す平面図である。
【図７】スペーサーのデッキプレートへの嵌込み方法を示す平面図である。
【図８】脚長が長いスペーサーによる従来固定構造を示す正面図である。
【符号の説明】
１：スペーサー
２：脚部材
２Ａ：先端部
３：固定板
４：回転板
５：デッキプレート
５Ａ：ウェブ
５Ｂ：溝
５Ｃ：下部フランジ
６：鉄筋トラス
６Ａ：上部筋
６Ｂ：下部筋
６Ｃ：ラチス筋
【図１】
0003830638.tif 000002
【図２】
0003830638.tif 000003
【図３】
0003830638.tif 000004
【図４】
0003830638.tif 000005
【図５】
0003830638.tif 000006
【図６】
0003830638.tif 000007
【図７】
0003830638.tif 000008
【図８】
0003830638.tif 000009